(57)【要約】【課題】ヒンジ機構を介して開閉式の扉体を着脱可能にした遊技機において、扉体を取り付ける際、及び／又は取り外す際の手間を軽減する遊技機を提供する。【解決手段】本発明の遊技機は、前面扉２と、前面扉に着脱可能に装着される腰部パネル３と、前面扉及び腰部パネルのいずれか一方に設けられ、弦巻バネ１０７によって突出方向に付勢するように支持された軸部材１０１と、前面扉及び腰部パネルのいずれか他方に設けられ、軸部材１０１を挿脱可能に軸支する軸支部２０１とを備えたヒンジ機構と、を有する。そして、軸支部２０１の近傍に、腰部パネル３を前面扉２に装着する際、軸部材１０１を、弦巻バネ１０７の付勢力に抗して突出方向と反対方向に移動させる案内部２０３を設けたことを特徴とする。【選択図】    図４
2005319178.tif 000002
【特許請求の範囲】
【請求項１】
本体と、
前記本体に着脱可能に装着される扉体と、
前記本体及び扉体のいずれか一方に設けられ、付勢部材によって突出方向に付勢するように支持された軸部材と、前記本体及び扉体のいずれか他方に設けられ、前記突出する軸部材を挿脱可能に軸支する軸支部とを備えたヒンジ機構と、
を有する遊技機において、
前記軸支部の近傍に、前記扉体を前記本体に装着する際、前記軸部材を、付勢部材の付勢力に抗して前記突出方向と反対方向に移動させる案内部を設けたことを特徴とする遊技機。
【請求項２】
前記案内部に、前記軸支部に向かって前記軸部材を案内する溝を設けたことを特徴とする請求項１に記載の遊技機。
【請求項３】
前記軸支部の近傍に、前記軸部材が案内された際に、軸部材の動きを規制する規制部材を設けたことを特徴とする請求項１又は２に記載の遊技機。
【請求項４】
前記軸部材が挿入される軸支部の内面に、前記軸部材が外れる方向に従って次第に拡径する案内部を形成したことを特徴とする請求項１から３のいずれか１項に記載の遊技機。
【請求項５】
前記ヒンジ機構を構成する軸支部は、前記本体、及び／又は扉体に対して、別体として取り付けられることを特徴とする請求項１から４のいずれか１項に記載の遊技機。
【請求項６】
本体と、
前記本体に着脱可能に装着される扉体と、
前記本体及び扉体のいずれか一方に設けられ、付勢部材によって突出方向に付勢するように支持された軸部材と、前記本体及び扉体のいずれか他方に設けられ、前記突出する軸部材を挿脱可能に軸支する軸支部とを備えたヒンジ機構と、
を有する遊技機において、
前記軸部材が挿入される軸支部の内面に、前記軸部材が外れる方向に従って次第に拡径する案内部を形成したことを特徴とする遊技機。
【発明の詳細な説明】
【技術分野】
【０００１】
本発明は、本体に対し、ヒンジ機構を介して開閉可能に取り付けられた扉体を有する遊技機に関する。
【背景技術】
【０００２】
従来、パチスロ遊技機に代表される遊技機は、筐体本体の前面に前面扉が開閉可能に取り付けられており、前面扉を開くことにより筐体本体内に収容した各種の機器のメンテナンス等が行なえるようになっている。
【０００３】
また、パチスロ遊技機では、前面扉の下部に腰部パネルが取り付けられている。この腰部パネルは透光性を有する絵柄シートを備えており、筐体本体内に配設した蛍光灯等の照明装置により絵柄シートを透過照明するようになっている（例えば、特許文献１参照）。
【０００４】
近年、コスト低減や資源の有効活用を図るために、新機種の導入や機種の入れ替えを行なう際に、筐体本体は旧機種のものをそのまま利用し、遊技機内部に収容される機械部品のみを交換することが考えられるようになっている。この際、機種毎に使用されているキャラクタ等が異なるために、前記絵柄シートを新しく取り替える必要がある。従って、絵柄シートを容易に交換することができれば、新機種の導入や機種の入れ替えに要するコストを低減することができる。
【０００５】
本出願人は、前面扉に対して、ヒンジ機構を介して腰部パネルを開閉可能として、前面扉から腰部パネルを容易に着脱することが可能な遊技機を既に開発している。ここで、前記遊技機に配設されるヒンジ機構について説明する。
【０００６】
図１は、前面扉と腰部パネルとの間に配設されるヒンジ機構の内、操作される側の部材（以下、操作側部材）の構成を示す図である。
【０００７】
ヒンジ機構の操作側部材１００は、係止部材１０２を用いて腰部パネル（図示せず）に軸部材１０１を係止した構成となっており、前面扉（図示せず）に設けた軸支部（図示せず）に軸部材１０１の軸部１０１ｂを挿脱可能とすることにより、前面扉と腰部パネルは着脱できるようになっている。
【０００８】
具体的には、係止部材１０２は板状の部材で構成されており、一側部に前記軸部材１０１を挿通する挿通部１０３が、ほぼ中央部に２つのネジ挿通孔１０５，１０６が、そして他側部にバネ係止部１０４が設けられている。
【０００９】
前記軸部材１０１は、軸部１０１ｂと、軸部１０１ｂの一端に設けた操作部１０１ａとからなり、全体として断面略Ｌ字状となっている。この軸部材１０１は、軸部１０１ｂを前記挿通部１０３に挿通することにより、係止部材１０２に取り付けられる。また、操作部１０１ａと係止部材１０２に設けられたバネ係止部１０４との間には、付勢部材である弦巻バネ１０７が掛け渡されており、弦巻バネ１０７の付勢力により、軸部１０１ｂの先端部が前面扉に設けた支持側部材である軸支部（図示せず）へ向かって付勢されている。
【００１０】
また、腰部パネルには、係止部材１０２に形成されたネジ挿通孔１０５，１０６に対向する位置に予めボス部１０８，１０９が設けられており、各ボス部１０８，１０９の端面には、ネジ穴１０８ａ，１０９ａが形成されている。そして、前記ボス部１０８，１０９に形成されたネジ穴１０８ａ，１０９ａとネジ挿通孔１０５，１０６とを合致させ、ネジ挿通孔１０５，１０６とネジ穴１０８ａ，１０９ａに一連にネジ１１０，１１１を螺着することで、係止部材１０２は腰部パネルに取り付けられる。
【００１１】
上記した構成のヒンジ機構において、軸部材１０１の操作部１０１ａを指で摘んで、弦巻バネ１０７の付勢力に抗して引き上げ操作して、軸部１０１ｂを軸支部に嵌合させたり、或いは、嵌合状態を解除することで、腰部パネルを前面扉から着脱することが可能となる。
【特許文献１】特開２００１−１４９５２６号公報
【発明の開示】
【発明が解決しようとする課題】
【００１２】
上記した構成のヒンジ機構では、腰部パネルを前面扉に取り付ける際には、操作部１０１ａを弦巻バネ１０７の付勢力に抗して持ち上げた状態で、軸部１０１ｂの先端部を前面扉に設けた軸支部に位置合わせして、軸部１０１ｂを軸支部に嵌合する操作が必要であり、また、腰部パネルを前面扉から取り外す際には、同様に操作部１０１ａを弦巻バネ１０７の付勢力に抗して持ち上げ、軸部１０１ｂの先端部を前面扉に設けた軸支部から完全に外す操作が必要となる。
【００１３】
すなわち、上記した構成のヒンジ機構では、腰部パネルを前面扉から着脱する際に、操作部１０１ａを弦巻バネ１０７の付勢力に抗して持ち上げて維持する状態が長くなり、着脱時の操作性が劣るという問題がある。
【００１４】
また、上記したヒンジ機構は、負荷が掛かると共に、繰り返し操作される部位であることから破損等が生じ易く、交換される部品でもある。従って、できるだけコストダウンが図れるような構成となっていることが好ましい。
【００１５】
本発明は、上記した問題に基づいてなされたものであり、ヒンジ機構を介して開閉式の扉体を着脱可能にした遊技機において、扉体を取り付ける際、及び／又は取り外す際の手間を軽減するヒンジ機構を備えた遊技機を提供することを目的とする。
【００１６】
また、本発明は、上記した目的に加え、ヒンジ機構に関して、よりコストダウンが図れるような構成を提供することを目的とする。
【課題を解決するための手段】
【００１７】
上記した目的を達成するために、請求項１に係る遊技機は、本体と、前記本体に着脱可能に装着される扉体と、前記本体及び扉体のいずれか一方に設けられ、付勢部材によって突出方向に付勢するように支持された軸部材と、前記本体及び扉体のいずれか他方に設けられ、前記突出する軸部材を挿脱可能に軸支する軸支部とを備えたヒンジ機構と、を有しており、前記軸支部の近傍に、前記扉体を前記本体に装着する際、前記軸部材を、付勢部材の付勢力に抗して前記突出方向と反対方向に移動させる案内部を設けたことを特徴とする。
【００１８】
上記した構成によれば、扉体を本体に装着する際、付勢部材によって付勢された軸部材の先端部分が、案内部によって、突出方向と反対方向、すなわち、付勢力に抗して持ち上げられながら移動し、最終的に軸支部に嵌合されるようになる。このため、軸部材を、指で摘んで持ち上げ操作する必要がなくなり、扉体を本体に取り付ける際の手間が軽減される。
【００１９】
なお、上記した構成において、「扉体」は、いわゆる遊技機の「筺体本体」に対して開閉可能な部材であっても良いし、腰部パネルのように、筺体本体に開閉可能に装着される前面扉に対して開閉可能な部材であっても良い。後者の場合、前面扉が上記した「本体」に該当することとなる。また、上記した軸部材は、扉体側に設けられていても良いし、本体側に設けられていても良い。前者の場合、軸部材が嵌合する軸支部は本体側に設けられ、後者の場合、軸支部は扉体側に設けられる。
【００２０】
また、請求項２に係る遊技機では、前記案内部に、前記軸支部に向かって前記軸部材を案内する溝を設けたことを特徴とする。
【００２１】
このような構成によれば、扉体を本体に対して装着する際、軸部材は溝によって自然に軸支部に案内されるようになり、容易かつ確実に両者を係合させることが可能となる。
【００２２】
また、請求項３に係る遊技機では、前記軸支部の近傍に、前記軸部材が案内された際に、軸部材の動きを規制する規制部材を設けたことを特徴とする。
【００２３】
このような構成によれば、軸支部の近傍に規制部材が設けられていることにより、軸部材が軸支部の近傍まで来たときに、その動きが規制されるため、軸支部の位置が明確となって軸部材を軸支部に確実に嵌合することが可能となる。
【００２４】
また、請求項４に係る遊技機では、前記軸部材が嵌合される軸支部の内面に、前記軸部材が外れる方向に従って次第に拡径する案内部を形成したことを特徴とする。
【００２５】
このような構成によれば、扉体を本体から取り外す際、付勢部材によって付勢された軸部材の先端部分が、案内部によって、突出方向と反対方向、すなわち、付勢力に抗して持ち上げられながら移動し、最終的に軸支部から外れるようになる。このため、軸部材を、指で摘んで持ち上げ操作する必要がなくなり、扉体を本体から取り外す際の手間が軽減される。なお、拡径する初期位置は、軸支部に嵌合している軸部材の先端部よりも多少、上方にあっても良い。この場合、扉体を本体から取り外す際、多少、軸部材を持ち上げ操作する必要がある。
【００２６】
また、請求項５に係る遊技機では、前記ヒンジ機構を構成する軸支部は、前記本体、及び／又は扉体に対して、別体として取り付けられることを特徴とする。
【００２７】
このように、軸支部を、前記本体、及び／又は扉体に対して、別体（一体形成しない）としたことにより、軸支部を前記本体や扉体に対して一体形成する構成と比較して、破損等した場合であっても、その部分のみを交換することが可能となり、コストダウンを図ることが可能となる。
【００２８】
また、上記した目的を達成するために、請求項６に係る遊技機は、本体と、前記本体に着脱可能に装着される扉体と、前記本体及び扉体のいずれか一方に設けられ、付勢部材によって突出方向に付勢するように支持された軸部材と、前記本体及び扉体のいずれか他方に設けられ、前記突出する軸部材を挿脱可能に軸支する軸支部とを備えたヒンジ機構と、を有しており、前記軸部材が挿入される軸支部の内面に、前記軸部材が外れる方向に従って次第に拡径する案内部を形成したことを特徴とする。
【００２９】
このような構成によれば、扉体を本体から取り外す、付勢部材によって付勢された軸部材の先端部分が、案内部によって、突出方向と反対方向、すなわち、付勢力に抗して持ち上げられながら移動し、最終的に軸支部から外れるようになる。このため、軸部材を、指で摘んで持ち上げ操作する必要がなくなり、扉体を本体から取り外す際の手間が軽減される。なお、拡径する初期位置は、軸支部に嵌合している軸部材の先端部よりも多少、上方にあっても良い。この場合、扉体を本体から取り外す際、多少、軸部材を持ち上げ操作する必要がある。
【発明の効果】
【００３０】
本発明によれば、本体に対して、ヒンジ機構を介して開閉式の扉体を着脱可能にした遊技機において、前記扉体を取り付ける際、及び／又は取り外す際の手間が軽減される構成が得られるようになる。
【発明を実施するための最良の形態】
【００３１】
以下、本発明に係る遊技機の一実施形態について、添付図面を参照して具体的に説明する。  
図２及び図３は、代表的な遊技機であるパチスロ遊技機の一構成例を示す図であり、図２は正面図、図３は前面扉に対して腰部パネルを開いた状態を示す斜視図である。
【００３２】
本実施形態に係るパチスロ遊技機は、筐体本体１の前面に前面扉２が開閉可能に取り付けられており、前面扉２には、その前面のほぼ中央より上部に、筐体本体１内に配設した回転リール７ａ，７ｂ，７ｃの表面が臨む正面パネル６が配設されている。また、正面パネル６の下方の前面扉２には、台座２ａが形成されており、ここにベットボタン９ａ、マックスベットボタン９ｂ、メダル投入口８、スタートレバー１０、３個のストップボタン１１ａ，１１ｂ、１１ｃ、及び各種の操作ボタンを有する操作パネル１２が配設されている。
【００３３】
さらに、スタートレバー１０等の下方に位置する前面扉２には、腰部パネル３が開閉可能に取り付けられている（本実施形態では、前面扉２が「本体」となり、腰部パネル３が「扉体」となる）。前記腰部パネル３の下方に位置する前面扉２には、メダル払出口１５に臨むようにしてメダル受皿４が配設されている。
【００３４】
なお、正面パネル６の表面には、回転リール７ａ，７ｂ，７ｃの表面を透過表示可能な大型の液晶表示装置（図示せず）が取り付けられている。
【００３５】
前記腰部パネル３は、ヒンジ機構（操作側部材１００，支持側部材２００）を介して前面扉２に開閉可能に取り付けられている。また、腰部パネル３の上面には、絵柄シート挿脱口１３が設けられており、この絵柄シート挿脱口１３を介して絵柄シート（図示せず）を出し入れすることが可能となっている。
【００３６】
さらに、腰部パネル３の絵柄シート挿脱口１３の近傍には、照明手段（例えば、冷陰極管等）が設置されており、腰部パネル３の内部側から絵柄シートを透過照明するようになっている。なお、このように絵柄シートを透過照明する照明手段の構成や設置場所は、特に限定されることはなく、例えば、前面扉２の前面に、ＬＥＤ等の照明部材を設置したものであっても良い。
【００３７】
また、前面扉２の前面には、腰部パネル３に形成される多数の透音孔１４ａ，１４ｂに臨むようにして、左右一対のスピーカ１４ｃ，１４ｄが配設されている。なお、前面扉２の上部に設けた装飾パネル５に、複数のスピーカを配設しても良い。
【００３８】
次に、前面扉２に対して腰部パネル３を着脱可能に開閉するヒンジ機構の構成について図４及び図５を参照して説明する。なお、ヒンジ機構の内、操作側部材については、図１に示した構成と同じであるため、その詳細な説明については省略する。
【００３９】
上述したように、操作側部材１００は、腰部パネル３の内面下端側に、ネジ１１０，１１１を螺着することで取り付けられており、軸部材１０１の軸部１０１ｂは、付勢部材である弦巻バネ１０７によって下方に向けて付勢された状態にある。また、腰部パネル３の上面には、軸部１０１ｂと略同一直線上に支持突起１３０が上方に向けて突出するように取り付けられている。
【００４０】
一方、前面扉２の腰部パネル３が取り付けられる部分には、その下方に、前記操作側部材１００の軸部材１０１が係合する支持側部材２００が設けられており、上方に、前記支持突起１３０を保持する保持部材３００が設けられている。
【００４１】
支持側部材２００は、前面扉２を構成するフレーム部分に一体形成されており、前記軸部材１０１の軸部１０１ｂが嵌合する嵌合穴（軸支部）２０１を備えている。また、支持側部材２００は、軸支部２０１の近傍位置に、腰部パネル３を前面扉２に装着する際、軸部材１０１を、弦巻バネ１０７の付勢力に抗して、突出方向と反対方向に移動させるための案内部２０３を備えている。
【００４２】
この案内部２０３は、前面扉２の表面に対して略直交する方向に伸び、軸支部２０１に向けて次第に上昇する傾斜面として構成されている。そして、その傾斜面の最上部分に平坦面２０５を形成し、この平坦面に前記軸支部２０１が形成されている。
【００４３】
また、前記支持突起１３０を保持する保持部材３００は、台座２ａの裏面側に着脱可能となるように略Ｌ字状のプレート３０１として構成されており、このプレートには、台座部分に固定するための複数のネジ孔３０２，３０３と、支持突起１３０を保持する保持穴３０５が形成されている。なお、保持穴３０５を形成する円柱壁３０５ａには、支持突起１３０を保持穴に係合させ易いように、所定の範囲に亘って切り欠かれている。
【００４４】
上記した構成によれば、腰部パネル３を前面扉２に装着する際、腰部パネル３を手で持って支持突起１３０を保持穴３０５に保持させつつ、軸部材１０１の軸部１０１ｂを軸支部２０１に向けて移動させる。このとき、弦巻バネ１０７によって下方に向けて付勢された軸部材１０１の軸部１０１ｂの先端部分は、前記案内部２０３によって、突出方向と反対方向、すなわち、付勢力に抗して持ち上げられながら移動し、最終的に軸支部２０１に係合されるようになる。このため、従来のように、軸部材１０１の操作部１０１ａを摘んで持ち上げながら取り付け作業をする必要がなくなり、腰部パネル３を前面扉２に対して容易に装着することが可能となる。
【００４５】
また、上記した遊技機では、支持突起１３０を保持する保持部材３００を、台座２ａの裏面側に着脱可能となるように略Ｌ字状のプレート３０１で構成したことから、保持部材３００が破損しても、プレート３０１の部分のみを交換することで対応できるため、保持部材３００を前面扉に一体形成する構成と比較してコストダウンを図ることが可能となる。もちろん、保持部材３００は、支持側部材２００のように、前面扉を構成するフレームに一体形成したものであっても良い。
【００４６】
図６は、上記した支持側部材２００の第１の変形例を示す図である。  
この変形例では、上記した案内部２０３に、軸支部２０１に向かって上記した軸部材１０１を案内する溝２１０を設けたものである。この場合、溝２１０は、軸部材１０１の軸部１０１ｂの先端領域が嵌る程度の深さで、軸部１０１ｂよりも若干幅広に形成されていれば良い。
【００４７】
このような構成によれば、腰部パネル３を前面扉２に対して装着する際、軸部材１０１を、溝２１０によって自然に軸支部２０１に向けて案内することができるので、両者を容易かつ確実に係合させることが可能となる。なお、溝の形状については、図に示すように同一幅に限定されることはなく、例えば、軸部１０１ｂが最初に当て付けられる領域を幅広に形成しておく等、適宜変形することが可能である。
【００４８】
図７は、上記した支持側部材２００の第２の変形例を示す図である。  
この変形例では、上記した軸支部２０１の近傍に、軸部材１０１が案内された際に、軸部材１０１の動きを規制する規制部材２２０を設けたものである。規制部材２２０は、腰部パネルを装着する際、その勢いが強すぎて軸部材１０１が軸支部２０１に嵌り込まなくても、軸部材１０１の移動を規制して軸部１０１ｂが弦巻バネの付勢力によって落としこまれるよう、前面扉の表面側に立設された断面略半円形状の壁部によって構成される。
【００４９】
このような構成によれば、軸部材１０１が軸支部２０１の近傍まで来たときに、その動きが強制的に規制されるため、軸支部２０１の位置が明確に把握でき、軸部材の軸部１０１ｂを軸支部２０１に確実にはめ込むことが可能となる。なお、規制部材２２０の形状については、図に示すような半円形状に限定されることはなく、例えば、垂直壁によって構成されたものであっても良い。また、図６に示すように、案内部２０３に溝２１０を形成しておいても良い。
【００５０】
図８（ａ）及び（ｂ）は、上記した支持側部材２００の第３の変形例を示す図である。
この変形例では、軸部材を嵌合させる支持側部材２００Ａを、前面扉を構成するフレームに一体形成することなく、主要部を別体として構成しておき、フレーム部分に別体として装着するように構成したものである。
【００５１】
具体的には、支持側部材２００Ａは、前面扉のフレームに対して着脱可能となるように略Ｌ字状のプレート２５０として構成されており、このプレートには、フレーム部分に固定するための複数のネジ孔２５１，２５２と、その間に形成される位置決め用の孔２５３と、軸部材の軸部１０１ｂを嵌合させる軸支部２０１ａが形成されている。そして、このように形成されたプレート２５０は、フレームに予め形成された位置決め用のボス２６２に孔２５３を嵌め込み、複数のネジ孔２５１，２５２にネジ２６０，２６１を螺合することでフレーム部分に装着される。
【００５２】
このような構成によれば、腰部パネルの着脱操作時に、支持側部材が破損等しても、プレート２５０部分のみを交換することで対応できるため、支持側部材２００を前面扉に対して一体形成する構成と比較してコストダウンを図ることが可能となる。
【００５３】
なお、図８に示した構成では、プレート２５０に形成される軸支部２０１ａが平坦面２０５から突出するように装着されているが、平坦面２０５に、予め、プレート２５０に形成される軸支部２０１ａ（或いは軸支部２０１ａを有する平坦設置部２５５）が嵌り込む形状の凹所を形成しておき、プレート２５０を装着した際、軸支部２０１ａと平坦面２０５が略面一状となるように構成しておくことが好ましい。
【００５４】
図９（ａ）及び（ｂ）は、上記したプレート２５０の変形例を示す図である。  
この変形例では、プレート２５０の軸支部２０１ａの外側周囲に、軸支部２０１ａに向けて次第に上昇する傾斜面（案内部）２０１ｂを形成したものである。
【００５５】
このような案内部２０１ｂを形成しておくことにより、上述した案内部２０３と同様、腰部パネル３を前面扉２に装着する際、軸部材１０１を、弦巻バネ１０７の付勢力に抗して、突出方向と反対方向に移動させることが可能となり、腰部パネル３を前面扉２に対して容易に装着することが可能となる。
【００５６】
図１０（ａ）及び（ｂ）は、上記したプレート２５０の第２の変形例を示す図である。  
この変形例では、プレート２５０の軸支部２０１ａの内面に、軸部材の軸部１０１ｂが外れる方向（上方向）に従って次第に拡径する傾斜面（案内部）２０１ｃを形成したものである。
【００５７】
このような案内部２０１ｃを形成したことにより、腰部パネル３を前面扉２から取り外す際、弦巻バネ１０７によって付勢された軸部材１０１の軸部１０１ｂの先端部分が案内部２０１ｃによって、突出方向と反対方向、すなわち、付勢力に抗して持ち上げられながら移動可能となる。このため、軸部材１０１の操作部１０１ａを、案内部２０１ｃの初期値Ｐまで指で摘んで持ち上げることで、それ以後は、案内部２０１ｃによって持ち上げられるため、腰部パネル３を前面扉２から取り外す際の手間が軽減される。もちろん、このような案内部２０１ｃは、上記した図５から図７の構成に適用することも可能である。
【００５８】
上記した構成の軸支部２０１ａの内面に形成される案内部２０１ｃの拡径する初期位置Ｐについては、適宜変形することが可能である。例えば、図１１（ａ）及び（ｂ）に示すように、嵌合した状態の軸部１０１ｂの下端面に対して、垂直方向により近い位置に設定することで、腰部パネル３を前面扉２から取り外す際の、軸部材１０１の操作部１０１ａの持ち上げ操作量が少なくなり、より簡単に取り外し作業を実行することが可能となる。
【００５９】
以上、本発明の実施形態について説明したが、本発明は、上記した実施形態の構成に限定されることはなく、種々変形することが可能である。
【００６０】
上記したように形成される案内部２０３，２０１ｂ，２０１ｃについては、単一の傾斜面として構成したが、角度が異なる複数の傾斜面を連続形成したものであっても良い。また、案内部を構成する傾斜面の傾斜角度については、腰部パネルの取り付け方向（取り外し方向）を考慮して、軸部材１０１が弦巻バネ１０７の付勢力に抗して無理なく上昇できるように設定しておけば良い。さらに、案内部は、上記した実施形態のように平面状に構成しても良いし、曲面（ラウンド）状に構成しても良い。
【００６１】
また、案内部については、腰部パネルの着脱時に、軸支部に対して、軸部材が容易に案内できるのであれば、前面扉のフレームに一体形成したり、専用の部材を着脱可能に構成する等、その位置や形状等、種々変形することが可能である。また、上記した構成のヒンジ機構では、腰部パネル（扉部材）側に、操作側部材１００を装着し、本体（前面扉）側に、支持側部材２００を装着したが、逆に配設しても良い。また、このようなヒンジ機構は、腰部パネルの支持突起１３０側に装着しても良い。さらに、本発明は、ヒンジ機構の支持側部材において、軸支部近傍に案内部を形成したことに特徴があり、ヒンジ機構の操作側部材１００の全体構成、及び腰部パネル３に対する装着方法については、適宜変形することが可能である。
【産業上の利用可能性】
【００６２】
本発明は、上記したスロットマシン以外にも、本体に対して開閉される扉体を備えた各種の遊技機に適用することが可能である。
【図面の簡単な説明】
【００６３】
【図１】パチスロ遊技機に用いられるヒンジ機構の内、操作側部材の構成を示す図。
【図２】パチスロ遊技機の一構成例を示す正面図。
【図３】図２に示すパチスロ遊技機において、前面扉に対して腰部パネルを開いた状態を示す斜視図。
【図４】前面扉から腰部パネルを取り外した状態を示す斜視図。
【図５】図４に示す構成において、支持側部材を拡大して示す図。
【図６】支持側部材の第１の変形例を示す図。
【図７】支持側部材の第２の変形例を示す図。
【図８】支持側部材の第３の変形例を示す図であり、（ａ）は、プレートを装着した状態を示す図、（ｂ）は、プレートの構成を示す図。
【図９】図８に示すプレートの変形例を示す図であり、（ａ）は、プレート全体の斜視図、（ｂ）は、軸支部領域の断面図。
【図１０】図８に示すプレートの第２の変形例を示す図であり、（ａ）は、プレート全体の斜視図、（ｂ）は、軸支部領域の断面図。
【図１１】図８に示すプレートの第３の変形例を示す図であり、（ａ）は、プレート全体の斜視図、（ｂ）は、軸支部領域に軸部がはまり込んだ状態を示す断面図。
【符号の説明】
【００６４】
２  前面扉（本体）
３  腰部パネル（扉体）
１００  操作側部材
１０１  軸部材
１０７  弦巻バネ
２００，２００Ａ  支持側部材
２０１，２０１ａ  軸支部
２０３，２０１ｂ，２０１ｃ  案内部
２１０  溝
２２０  規制部材
【図１】
2005319178.tif 000003
【図２】
2005319178.tif 000004
【図３】
2005319178.tif 000005
【図４】
2005319178.tif 000006
【図５】
2005319178.tif 000007
【図６】
2005319178.tif 000008
【図７】
2005319178.tif 000009
【図８】
2005319178.tif 000010
【図９】
2005319178.tif 000011
【図１０】
2005319178.tif 000012
【図１１】
2005319178.tif 000013